【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
入口ライン部、出口ライン部、たるんだライン部、および作動ライン部を有するチューブセットと共に使用される、医療用ポンプであって、
ポンプハウジングと、
ポンプハウジングと協働して、チューブセットの作動ライン部を受容すると共に、チューブセットの入口ライン部から出口ライン部に流体をポンピングするように構成された、ポンピング機構と、
チューブセットのたるんだ部分の強制的な挿入および取り外しができるように構成された、チューブスナップセットとを備え、
チューブスナップセットが、内側寄りのチューブスナップと、内側寄りのチューブスナップと同軸ではなく内側寄りのチューブスナップから放射状に離間した外側寄りのチューブスナップとを含み、チューブスナップセットは、内側寄りのチューブスナップと外側寄りのチューブスナップの間のチューブセットのたるんだ部分を受容すると共に摺動自在に保持して、この保持されたたるんだ部分の長さを調節可能なように構成されている、医療用ポンプ。
【請求項２】
チューブスナップセットは、ポンプハウジングのハンドル部上において、ポンピング機構から遠く離間して位置する、請求項１に記載の医療用ポンプ。
【請求項３】
ポンプハウジングは、内側寄りのチューブスナップと外側寄りのチューブスナップを画定する一対の横方向に離間された長尺状の溝が中に形成されており、各溝は、テーパ付けられた一対の対向エッジと、それらの間に延びる開口とを有している、請求項１に記載の医療用ポンプ。
【請求項４】
溝の開口はＣ字形である、請求項３に記載の医療用ポンプ。
【請求項５】
ポンピング機構は、流体の流れ方向に流体をポンピングし、溝の少なくとも１つは、流体の流れ方向にほぼ平行に延びるように構成された、請求項３に記載の医療ポンプ。
【請求項６】
双方の溝は、流体の流れ方向にほぼ平行に延びている、請求項５に記載の医療ポンプ。
【請求項７】
流体の流れ方向はほぼ鉛直である、請求項５に記載の医療ポンプ。
【請求項８】
溝は、ポンプハウジングのハンドル部に位置している、請求項５に記載の医療ポンプ。
【請求項９】
チューブセットのたるんだ部分をポンプに受容すると共に取り外し自在に固定すべく、ポンプハウジングに取り付けられたチューブハンガーをさらに備える、請求項１に記載の医療用ポンプ。
【請求項１０】
チューブハンガーは、ポンプハウジングから外側に延びる主アームと、フックとポンプハウジングとの間でたるんだ部分を受容すると共に保持するように、ポンプハウジングから離れて主アームから横方向に延びる少なくとも１つのフックとを含む、請求項９に記載の医療用ポンプ。
【請求項１１】
チューブハンガーの主アームは、ポンプハウジングの底壁に取り付けられている、請求項１０に記載の医療用ポンプ。
【請求項１２】
チューブハンガーの主アームは、ハウジングの前壁に取り付けられている、請求項１０に記載の医療用ポンプ。
【請求項１３】
ポンプハウジングは、チューブハンガーのフックの後ろに位置するハウジング凹部を含む、請求項１０に記載の医療用ポンプ。
【請求項１４】
ハウジングの凹部は、ポンプハウジングの前壁からポンプハウジングの底壁に延びている、請求項１０に記載の医療用ポンプ。
【請求項１５】
チューブハンガーは、主アームから反対方向に延びる２つのフックを含み、各フックは、チューブセットのたるんだ部分が間をスナップ式に通過できるように構成された挿入隙間を画定するように、主アームに取り付けられた近位端と、ポンプハウジングに対して配置された遠位端とを有する、請求項１０に記載の医療用ポンプ。
【請求項１６】
挿入隙間は、ポンプハウジングとフックの間に画定されたチューブ保持スペースの中に開口し、フックは、フックの遠位端とフックの近位端の間でチューブ保持スペースの幅が増加し、次いで幅が減少するように構成されている、請求項１５に記載の医療ポンプ。
【請求項１７】
チューブスナップセットは、ポンピング機構の上方でポンピング機構にほぼ垂直に整列して位置する、請求項１に記載の医療用ポンプ。
【請求項１８】
ポンピング機構は、カセット式ポンプである、請求項１７に記載の医療用ポンプ。
【請求項１９】
入口ライン部、出口ライン部、たるんだライン部、および作動ライン部を有するチューブセットと共に使用される、医療用ポンプであって、
ユーザインタフェース画面を含むポンプハウジングと、
ポンプハウジングと協働して、チューブセットの作動ライン部を受容すると共に、入口ライン部から出口ライン部に流体をポンピングするように構成された、ポンピング機構と、
ユーザインタフェース画面の下でポンプハウジングの壁に取り付けられると共に、ポンピング機構から遠く離間した位置において、ラインのたるんだ部分をポンプに受容すると共に取り外し自在に固定するように構成された、チューブハンガーとを備える、医療用ポンプ。
【請求項２０】
チューブハンガーは、ポンプハウジングから外側に延びる主アームと、フックとポンプハウジングとの間でたるんだ部分を受容すると共に保持するように、ポンプハウジングから離れて主アームから横方向に延びる少なくとも１つのフックとを含む、請求項１９に記載の医療用ポンプ。
【請求項２１】
ポンプハウジングは、ユーザインタフェース画面を含む前壁を有し、チューブハンガーの主アームは、ユーザインタフェース画面の下でポンプハウジングの前壁に取り付けられている、請求項２０に記載の医療用ポンプ。
【請求項２２】
ポンプハウジングは、チューブハンガーのフックの後ろに位置するハウジング凹部を含む、請求項２０に記載の医療用ポンプ。
【請求項２３】
ハウジングの凹部は、ポンプハウジングの前壁からポンプハウジングの底壁に延びている、請求項２２に記載の医療用ポンプ。
【請求項２４】
チューブハンガーは、主アームから反対方向に延びる２つのフックを含み、各フックは、チューブセットのたるんだ部分が間をスナップ式に通過できるように構成された挿入隙間を画定するように、主アームに取り付けられた近位端と、ポンプハウジングに対して配置された遠位端とを有する、請求項２０に記載の医療用ポンプ。
【請求項２５】
挿入隙間は、ポンプハウジングとフックの間に画定されたチューブ保持スペースの中に開口し、フックは、フックの遠位端とフックの近位端の間でチューブ保持スペースの幅が増加し、次いで幅が減少するように構成されている、請求項２４に記載の医療ポンプ。
【請求項２６】
入口ライン部、出口ライン部、たるんだライン部、および作動ライン部を有するチューブセットと共に使用される、医療用ポンプであって、
ポンプハウジングと、
ポンプハウジングと協働して、チューブセットの作動ライン部を受容すると共に、チューブセットの入口ライン部から出口ライン部に流体をポンピングするように構成された、ポンピング機構と、
チューブセットのたるんだ部分の挿入および取り外しができるように構成されたチューブスナップであって、ポンピング機構から遠く離間して、ポンプハウジングのハンドル部上に位置するチューブスナップとを備える、医療用ポンプ。
【請求項２７】
入口ライン部、出口ライン部、たるんだライン部、および作動ライン部を有するチューブセットと共に使用される、医療用ポンプであって、
ポンプハウジングと、
ポンプハウジングと協働して、チューブセットの作動ライン部を受容すると共に、入口ライン部から出口ライン部に流体をポンピングするように構成された、ポンピング機構と、
ポンプハウジングに取り付けられると共に、ポンピング機構から遠く離間した位置において、ラインのたるんだ部分をポンプに受容すると共に取り外し自在に固定するように構成された、チューブハンガーとを備え、
チューブハンガーが、ポンプハウジングから外向きに延びる主アームを備えると共に、ポンプハウジングに対して離間した関係で主アームから横方向に延びる、少なくとも１つのフックを備えており、フックとポンプハウジングとの間にたるんだ部分が受容されると共に保持され、
少なくとも１つのフックが、主アームに取り付けられた近位端と、挿入隙間を画定するようポンプハウジングに対して配置された遠位端とを有し、挿入隙間がチューブセットのたるんだ部分をスナップ式に通過させることができる、医療用ポンプ。